(57)【特許請求の範囲】
【請求項１】
ハンドル握部の両端を双脚状に導出させてその導出端面を装着対象機器の外面への定着面とする取付座に形成し、該取付座の裏面にケーブルの係挿溝を横設すると共に該係挿溝の横設箇所を避けた位置において各取付座の表側より裏面に達するボルト孔をそれぞれ縦設したことを特徴とするケーブルの係止具を兼ねたハンドル。
【請求項２】
一方の取付座裏面に横設される係挿溝は大径ケーブル用の係挿溝とし、他方の取付座裏面に横設される係挿溝は小径ケーブル用の係挿溝とし、ハンドルの装着対象機器から導出されるケーブルの種別に応じて何れか一方の係挿溝が選択使用されるよう構成したことを特徴とする、請求項１記載のケーブルの係止具を兼ねたハンドル。
【請求項３】
係挿溝の一側部に設けられた凸起と他側部に設けられた凹窩とでケーブルを屈曲させてその抜け出し防止機能が強化されるよう構成したことを特徴とする、請求項１記載のケーブルの係止具を兼ねたハンドル。
【請求項４】
係挿溝の溝底部に凸設されたリブ状片のエッヂがケーブルに圧接することによってその抜け出し防止機能が強化されるよう構成したことを特徴とする、請求項１記載のケーブルの係止具を兼ねたハンドル。
【発明の詳細な説明】
【０００１】
【発明の技術分野】
本発明は、ケーブルの係止具を兼ねたハンドル、例えば可搬式水中水中電動ポンプを電源に接続するケーブルや、そのポンプに付設されるフロート式水位検出器を繋留するケーブルの係止具を兼ねたハンドルに関するものである。
【０００２】
【従来技術とその問題点】
電動ポンプ等のケーブルは従来、図１０および図１１にしめされるような金属クリップ１０５が用いられ、図１２に示すように脚部を広げた後、図１３および図１４にみられるようなクリップゴム107を介してケーブル１０６を上記金属クリップ１０５にボルト締めして狭着し、図１５及び図１６に示すようＳ字状環１０８によって金属クリップ１０５とハンドル１０１とを連繋された後、Ｓ字状環１０８の脱落を防止するためその環状部をペンチ等の工具で絞り込むという煩雑な方法で係止されていた。そしてこれらの作業に先達って、ハンドル１０１を予め装着対象機器の外面１０３へ装着するという作業が必要ことは勿論である。
【０００３】
【発明が解決しようとする課題】
上記従来の方式によれば、部品点数も、取付け取外しの作業工数も多くなり、かつ、作業時間も長くなってコスト高となり、また、例えば電源用ケーブルと制御用ケーブルというように外径の異なる２種類のケーブル係止に対応するためには、大径と小径の２種類の金属クリップおよびクリップゴムを用意しばければならず、上述の欠点を更に増大させる要因となる。
【０００４】
従って本発明の目的は、部品点数も、取付け取外しの作業工数も少なくてコストダウンが得られ、ハンドル装着が即ケーブルの係止となる簡単迅速な作業が可能であって、かつ、外径の異なる２種類のケーブル係止に対応することのできる、ケーブルの係止具を兼ねたハンドルを提供することにある。
【０００５】
【問題を解決するための手段】
本発明に係るケーブルの係止具を兼ねたハンドルでは、ハンドル握部の両端より双脚状に導出させてその導出端面を装着対象機器の外面への定着面とする取付座に形成し、該取付座の裏面にケーブルの係挿溝を横設すると共に該係挿溝の横設箇所を避けた位置において各取付座の表側より裏面に達するボルト孔をそれぞれ縦設する。そして一方の取付座裏面に横設される係挿溝は大径ケーブル用の係挿溝とし、他方の取付座裏面に横設される係挿溝は小径ケーブル用の係挿溝とし、ハンドルの装着対象機器から導出されるケーブルの種別に応じて何れか一方の係挿溝が選択使用されるよう構成することが望ましく、要すれば、係挿溝の一側部に設けられた凸起と他側部に設けられた凹窩とでケーブルを屈曲させてその抜け出し防止機能が強化されるよう構成し、また、係挿溝の溝底部に凸設されたリブ状片のエッヂがケーブルに圧接することによってその抜け出し防止機能が強化されるよう構成する。
【０００６】
【実施例】
以下実施例の図１ないし図９により説明をする。
【０００７】
図１ないし図５に示されたハンドル１は、握部２の両端を双脚状に導出させてその導出端面を装着対象機器の外面３への定着面とする取付座４，４に形成する。５は取付座の裏面に横設された係挿溝であって、電動ポンプなど装着対象機器の外面３から導出されたケーブル６の係挿に供せられる。そして例えば一方の取付座裏面に横設される係挿溝５Ａは電源用ケーブルなど大径ケーブル用とし、他方の取付座裏面に横設される係挿溝５Ｂは制御用ケーブルなど小径ケーブル用として、それぞれに適合した溝巾及び溝深さに設定するが、必ずしもケーブル６が圧挿される態様であることを要しない。７ｐは係挿溝５の一側部に設けられた凸起、７ｎは係挿溝５の他側部に設けられた凹窩であり、これら凸起７ｐと凹窩７ｎによりケーブル６を屈曲させて係挿溝５内から抜け出し防止機能が強化させ、また、係挿溝５の溝底部にリブ状片８を凸設してそのエッヂ部がケーブル６に圧接することにより係挿溝５内から抜け出し防止機能が強化させるよう構成しておけば、係挿溝５とケーブル６との係挿自体は緩くてもよい。９ａはハンドル１の装着用ボルト孔であり、取付座４の裏面における前記係挿溝５の横設箇所を避けた位置において取付座４の表側より裏面に達するよう縦設されている。
【０００８】
装着対象機器の外面３から導出されたケーブル６を図６ないし図９に示すよう係挿溝５に係挿させた状態により、両取付座４，４の裏面を装着対象機器の外面３へ当接し、ボルト孔９ａ、９ａへ挿通したボルト１０，１０の締着により図７に示すようハンドル１が装着対象機器の外面３へ定着されると共にケーブル６が係止されることになる。実施例の図面のごとくボルト孔９ａ，９ａの上方から挿通したボルト１０，１０の先端を装着対象機器の外面３のネジ孔９ｂ，９ｂに螺装させてもよく、または装着対象機器の外面３に植設されたボルト１０，１０をボルト孔９ａ，９ａを嵌挿させて取付座４，４の表側からナット１１，１１を上記ボルト１０，１０の先端部に螺装させてもよい。そして取外し時には上記螺装を解除してハンドル１を除去することにより、ケーブル６は装着対象機器の外面３から解放されることになる。
【０００９】
【発明の効果】
本発明によれば、従来に比べ部品点数も、取付け取外しの作業工数も格段に少なくてコストダウンが得られ、ハンドル装着が即ケーブルの係止となる簡単迅速な作業が可能であって、かつ、外径の異なる２種類のケーブル係止にも対応することができという利点がある。
【図面の簡単な説明】
【図１】    本発明ハンドルの正面図である。
【図２】    本発明ハンドルの底面図である。
【図３】    図１のＸ−Ｘ線における断面拡大図である。
【図４】    図１のＹ−Ｙ線における断面拡大図である。
【図５】    図２のＺ−Ｚ線における断面拡大図である。
【図６】    本発明ハンドルにより装着対象機器の外面へケーブルを係止させる過程を示す平面図である。
【図７】    本発明ハンドルにより装着対象機器の外面へケーブルを係止させた状態を示す平面図である。
【図８】    本発明ハンドルにより装着対象機器の外面へケーブルを係止させた状態を示す側面図である。
【図９】    本発明ハンドルにより装着対象機器の外面へケーブルを係止させた状態を示す背面図である。
【図１０】  従来のケーブル係止に供せられる金属クリップの平面図である。
【図１１】  従来のケーブル係止に供せられる金属クリップの側面図である。
【図１２】  図１０及び図１１の金属クリップの脚部を広げた状態を示す側面図である。
【図１３】  従来のケーブル係止に供せられるクリップゴムの平面図である。
【図１４】  従来のケーブル係止に供せられるクリップゴムの側面図である。
【図１５】  図１０ないし図１４の金属クリップおよびクリップゴムを用いて装着対象機器の外面へケーブルを係止させた状態を示す平面図である。
【図１６】  図１０ないし図１４の金属クリップおよびクリップゴムを用いて装着対象機器の外面へケーブルを係止させた状態を示す側面図である。
【符号の説明】
１      ハンドル
２      ハンドル握部
３      装着対象機器の外面
４      取付座
５      係挿溝
５Ａ    大径ケーブル用の係挿溝
５Ｂ    小径ケーブル用の係挿溝
６      ケーブル
７ｎ    凹窩
７ｐ    凸起
８      リブ状片
９ａ    ボルト孔
【図１】
0004402819.tif 000002
【図２】
0004402819.tif 000003
【図３】
0004402819.tif 000004
【図４】
0004402819.tif 000005
【図５】
0004402819.tif 000006
【図６】
0004402819.tif 000007
【図７】
0004402819.tif 000008
【図８】
0004402819.tif 000009
【図９】
0004402819.tif 000010
【図１０】
0004402819.tif 000011
【図１１】
0004402819.tif 000012
【図１２】
0004402819.tif 000013
【図１３】
0004402819.tif 000014
【図１４】
0004402819.tif 000015
【図１５】
0004402819.tif 000016
【図１６】
0004402819.tif 000017